(57)【要約】【課題】構造が簡単で、全長の長い筆記具と、分割することにより、全長の短い筆記具に変換可能なノック式筆記具を提供する。【解決手段】軸筒内にスプリングにより軸筒後端方向へ付勢して摺動自在に配置した筆記具用レフィルの筆記先端部を、軸筒後端より突出したノック体を押圧することより、軸筒先端開口部より出没させる、出没機構を具備したノック式筆記具を複数本、連結及び分割可能としたノック式筆記具であって、一方のノック式筆記具の軸筒後端部と、他方のノック式筆記具の軸筒先端部とを、連結部材によって、一方のノック体の後端に延設した突部を前記他方のノック式筆記具の先端開口部内に没入させて連結し、他方のノック体の押圧し、他方の筆記具用レフィルの筆記具先端部を先端開口部より突出させることにより、前記筆記先端部が前記突部を介して一方のノック体を押圧し、一方の筆記具用レフィルの筆記先端部を先端開口部より出没可能とする。【選択図】          図１
2006305835.tif 000002
【特許請求の範囲】
【請求項１】
軸筒内にスプリングにより軸筒後端方向へ付勢して摺動自在に配置した筆記具用レフィルの筆記先端部を、軸筒後端より突出したノック体を押圧することより、軸筒先端開口部より出没させる、出没機構を具備したノック式筆記具を複数本、連結及び分割可能としたノック式筆記具であって、一方のノック式筆記具の軸筒後端部と、他方のノック式筆記具の軸筒先端部とを、連結部材によって、一方のノック体の後端に延設した突部を前記他方のノック式筆記具の先端開口部内に没入させて連結し、他方のノック体の押圧し、他方の筆記具用レフィルの筆記具先端部を先端開口部より突出させることにより、前記筆記先端部が前記突部を介して一方のノック体を押圧し、一方の筆記具用レフィルの筆記先端部を先端開口部より出没可能としたことを特徴とするノック式筆記具。
【請求項２】
前記突部が、弾性体で形成してあることを特徴とする請求項１に記載のノック式筆記具。
【発明の詳細な説明】
【技術分野】
【０００１】
本発明は、出没機構を具備したノック式筆記具を複数本、連結及び分割可能としたノック式筆記具に関する。
【背景技術】
【０００２】
従来の筆記具の全長は、概ね１０ｃｍ〜１５ｃｍ程度であるが、手帳用等、特殊な用途に用いる筆記具として、全長が７ｃｍ程度の短い筆記具も市販されていて、使用者の好みも様々である。
【０００３】
また、複数の筆記具を連結して、一つの筆記具とする構造も、特開２００４−２９９３２８号「筆記具」や特開２０００−２３８４８９号「サインペン」等で、一つの筆記具に他の筆記具を連結している構造が開示されている。こうした筆記具は、複数の筆記具を連結することにより、全長の長い筆記具と、分割することにより、全長の短い筆記具の両者を兼備した、キャップ式の筆記具を得ることができる。
【特許文献１】「特開２００４−２９９３２８号公報」
【特許文献２】「特開２０００−２３８４８９号公報」
【発明の開示】
【発明が解決しようとする課題】
【０００４】
ところで、筆記具において、操作性や利便性などを考慮すると、キャップ式筆記具に比べてノック式筆記具のほうが優れている。そのため、特許文献１、２のように使用者の好みによって、全長の長い筆記具と、分割することにより、全長の短い筆記具に変換可能なノック式筆記具が望まれている。
【０００５】
こうした、全長の長い筆記具と、分割することにより、全長の短い筆記具に変換可能なノック式筆記具において、コスト面や生産性等を考慮すると、ノック機構等、同一構造のノック式筆記具を連結することが好ましい。
【０００６】
しかし、同一のノック機構を有する複数のノック式筆記具を連結する場合には、軸筒後端より突出したノック体の押圧作動によって先端側のノック機構を作動させる必要があるが、筆記先端部は、落下時の衝撃等により容易に先端開口部から突出しないように数ミリ没入させてあるため、ノック体を押圧する距離は、筆記具用レフィルの筆記先端部が、軸筒先端開口部から突出する距離よりも長く、同一でないため、単に他方の筆記先端部の突出によって、一方のノック体を押圧しても、一方のノック機構を作動することはできなかった。
【０００７】
本発明の目的は、構造が簡単で、全長の長い筆記具と、分割することにより、全長の短い筆記具に変換可能なノック式筆記具を提供することである。
【課題を解決するための手段】
【０００８】
本発明は、軸筒内にスプリングにより軸筒後端方向へ付勢して摺動自在に配置した筆記具用レフィルの筆記先端部を、軸筒後端より突出したノック体を押圧することより、軸筒先端開口部より出没させる、出没機構を具備したノック式筆記具を複数本、連結及び分割可能としたノック式筆記具であって、一方のノック式筆記具の軸筒後端部と、他方のノック式筆記具の軸筒先端部とを、連結部材によって、一方のノック体の後端に延設した突部を前記他方のノック式筆記具の先端開口部内に没入させて連結し、他方のノック体の押圧し、他方の筆記具用レフィルの筆記具先端部を先端開口部より突出させることにより、前記筆記先端部が前記突部を介して一方のノック体を押圧し、一方の筆記具用レフィルの筆記先端部を先端開口部より出没可能とする。
【０００９】
また、前記突部が、弾性体で形成してあることを特徴とする。
【発明の効果】
【００１０】
構造が簡単で、全長の長い筆記具と、分割することにより、全長の短い筆記具に変換可能なノック式筆記具を提供することができた。
【発明を実施するための最良の形態】
【００１１】
次に図面を参照しながら、本発明のノック式筆記具の実施例を説明するが、本発明は以下の実施例に限定されるものではない。
【実施例１】
【００１２】
図１から図４に示すノック式筆記具１は、前軸２の雄ねじ部２ｂと後軸３の雌ねじ３ｂとを螺合した軸筒内に、インキ収容筒９の先端に、チップホルダー１０を介してボールペンチップ１１を装着し、内部に筆記具用インキ（図示せず）を収容した筆記具用レフィル８を、スプリング７によって後軸３後端方向に付勢して収納した一方のノック式筆記具Ａと、同様にして前軸２２の雄ねじ部２２ｂと後軸２３の雌ねじ２３ａとを螺合した軸筒内に、インキ収容筒２９の先端に、チップホルダー３０を介してボールペンチップ３１を装着し、内部に筆記具用インキ（図示せず）を収容した筆記具用レフィル２８を、スプリング２７によって後軸２３後端方向に付勢して収納した他方のノック式筆記具Ｂを、連結部材１３によって、一方のノック体４に延出した突部１２を他方のノック式筆記具Ｂの先端開口部内２２ｃに没入した状態に連結してある。また、ノック式筆記具Ａの把持部にはグリップ６を、ノック式筆記具Ｂにはグリップ２６を装着してある。
【００１３】
連結部材１３は、一方の後軸３後端部に形成した係合部３ａと、他方の前軸２２先端部の外壁に形成した係合部２２ａを被覆するように、連結部材１３の内壁に形成した被係合部１３ａ、１３ｂを着脱自在に螺着してある。
【００１４】
一方のノック式筆記具Ａ及び他方のノック式筆記具Ｂの出没機構は、後軸３、２３の内壁面に回転カム５、２５を前後に摺動案内し回転させるためのカム溝（図示せず）と、回転カム５、２５と、回転カム５、２５の後端に回転カムを摺動し回転を付与するためのカム部を有したノック体４、２４からなる、従来から知れている回転カムによる出没機構であり、ノック体４、２４を押圧することによりインキ収容筒９、２９の先端のボールペンチップ１１、３１を前軸先端開口部２ｃ、２２ｃより出没可能としてある。
【００１５】
また、ノック式筆記具Ａとノック式筆記具Ｂは、共通の部品で構成されていて、ノック機構も同一構造であるので、ノック式筆記具Ａ及びノック式筆記具Ｂのノック機構を作動するのに必要なノック体４、２４を押圧する距離は同一である。
【００１６】
ノック式筆記具１を使用する場合には、他方のノック体２４を押圧（図４の矢印Ｆ方向）することによって、他方の回転カム２５による出没機構を作動させ、他方のボールペンチップ３１を先端開口部２２ｃから突出させる。この時、他方のボールペンチップ３１は、一方のノック体４の突部１２に当接し、一方のノック体４を押圧する。その結果、一方の回転カム５による出没機構を作動させ、一方のボールペンチップ１１を先端開口部２ｃから突出して使用することができる。また、一方のボールペンチップ１１を先端開口部２ｃから突出した状態で、他方のノック体２４を再度、押圧すると、突出時と同様に、他方の出没機構及び一方の出没機構が作動し、一方のボールペンチップ１１を先端開口部２ｃから没入することができる。
【００１７】
本発明は、一方のノック式筆記具Ａのノック体４に延出した突部１２を他方のノック式筆記具Ｂの先端開口部内２２ｃに没入した状態に連結することが重要である。これは、他方のノック体２４を押圧する長さをＬ、他方のボールペンチップ３１が、前軸先端開口部２ｃから突出する長さをＭとすると、ボールペンチップ３１が没入している状態は、先端開口部２ｃの端面より後端側（距離Ｎ）に位置しているので、突出する長さが、ノック体を押圧する長さより短く（Ｍ＜Ｌ）なってしまう。
【００１８】
そのため、一方のノック体４の後端部に、ボールペンチップ３１が没入している状態での先端開口部２ｃの端面からの距離Ｎと同じ長さＮの突部１２を形成することで、突部の長さＮと他方のボールペンチップが突出する長さＭの合計を他方のノック体２４を押圧する長さＬと同じ長さ（Ｌ＝Ｍ＋Ｎ）にする。その結果、他方のノック体２４を押圧することによって、他方のボールペンチップ３１を先端開口部２２ｃから突出させると、他方のボールペンチップ３１の突出長さＭと、一方の突部の長さＮとの合計（Ｍ＋Ｎ＝Ｌ）が、一方のノック体４を前進させるので、一方のノック機構を作動することができ、一方のボールペンチップ１１を先端開口部２ｃから突出することできる。
【００１９】
また、連結部材１３を取り外すことによって、一方のノック式筆記具Ａと、他方のノック式筆記具Ｂに分割することができ、使用者の好みよって、連結した全長の長いノック式筆記具１と、分割した全長の短いノック式筆記具Ａ、Ｂを選択することができる。
【００２０】
また、本実施例では、同一構造のノック式筆記具Ａ、Ｂを２本連結してあるので、一方のノック式筆記具Ａを後端側に、他方のノック式筆記具Ｂを先端側に配設して、他方のノック体２４に延出した突部３２を一方のノック式筆記具Ａの先端開口部内２ｃに没入した状態に連結部材１３によって連結することもできる。
【００２１】
本実施例では、便宜上、回転カムによる出没機構を具備してあるが、軸筒後端部から突出したノック体を押圧することによって、ボールペンチップを軸筒先端開口部から出没可能な機構であれば特に限定されるものではない。また、本発明は、インキの種類や筆記先端部の形状は特に限定されるものではない。
【００２２】
また、突部は、ノック体と一体に形成又はノック体に付設してあってもよいが、筆記先端部の損傷を考慮して弾性体で形成することが好ましい。突部を弾性体で形成する場合には、ノック体の押圧力等によって弾性体が圧縮するため、ノック体を押圧する距離を考慮して弾性体の長さを適宜決定する。
【産業上の利用可能性】
【００２３】
一方の筆記具用レフィルと、他方の筆記具用レフィルとを、インキ色、例えば黒色と赤色やボール径、例えばφ０．７ｍｍとφ１．０ｍｍ等の種類の異なる筆記具用レフィルとすることで、他用途に使用することができる。
【図面の簡単な説明】
【００２４】
【図１】本発明のノック式筆記具を示す縦断面図である。
【図２】図１における、ボールペンチップが突出した状態を示す縦断面図である。
【図３】図１における、一部省略した要部拡大縦断面図である。
【図４】一方のノック式筆記具のボールペンチップの突出状態を示す図である。
【符号の説明】
【００２５】
１  ノック式筆記具
２、２２  前軸
３、２３  後軸
４、２４  ノック体
５、２５  回転カム
７、２７  スプリング
８、２８  筆記具用レフィル
９、２９  インキ収容筒
１１、３１  ボールペンチップ
１２、３２  突部
１３  連結部材
Ａ  一方のノック式筆記具
Ｂ  他方のノック式筆記具
【図１】
2006305835.tif 000003
【図２】
2006305835.tif 000004
【図３】
2006305835.tif 000005
【図４】
2006305835.tif 000006